(57)【特許請求の範囲】
【請求項１】
その主面と垂直な方向に配列された複数のディスクを収容可能なマガジンを使用し、このマガジン内の所定の収容位置からディスクを取り出して所定の取出位置まで移動させるディスク取出手段と、ディスクが前記所定の取出位置にある場合にこのディスクに記録された情報の再生を行う再生手段と、一方の側に設けられた第１と第２の被支持部および他方の側に設けられた第３の被支持部を有する昇降部と、前記昇降部の前記一方の側の近傍に設けられて前記第１と第２の被支持部を２点支持すると共にこの昇降部を昇降させるカムを有する第１のスライド手段と、前記昇降部の前記他方の側の近傍に設けられて前記第３の被支持部を１点支持すると共にこの昇降部を昇降させるカムを有する第２のスライド手段と、第１と第２のスライド手段を駆動して前記昇降部を昇降させる駆動手段を有する昇降駆動部と、を備えた情報再生装置において、
前記昇降部は、前記他方の側に第４の被支持部と、前記ディスク取出手段によってディスクが前記所定の取出位置に達した場合に前記第４の被支持部を固定する固定手段とを備え、さらに、前記他方の側に設けられてディスクの前記所定の収容位置に対応する位置と前記所定の取出位置に対応する位置との間で移動する移動部材を備え、
前記第４の被支持部は、前記移動部材の一部に設けられ、
前記固定手段は、前記第４の被支持部と係合してこれを固定する固定部と、第４の被支持部と固定部との間に係合方向の弾性力を与える弾性構造を有することを特徴とする情報再生装置。
【請求項２】
前記固定手段の前記固定部は、前記昇降部が複数の動作位置の各々にある場合における前記第４の被支持部の各動作位置に対応する複数の固定部であることを特徴とする請求項１記載の情報再生装置。
【請求項３】
前記第４の被支持部は、前記移動部材の一部に設けられた弾性部であり、前記固定手段の前記弾性構造は前記弾性部を含むことを特徴とする請求項１または２記載の情報再生装置。
【請求項４】
前記移動部材の前記弾性部は、対向配置された一対の弾性板であり、この一対の弾性板は、その開閉方向の弾性力を利用して前記固定部に固定されるように構成されたことを特徴とする請求項３記載の情報再生装置。
【請求項５】
前記固定手段は、前記ディスク取出手段によってディスクが前記所定の取出位置に達した場合に、前記第４の被支持部を固定する固定部を有する固定用部材と、前記固定用部材に対して可動に設けられ、固定用部材の前記固定部との間に前記第４の被支持部を挟持する押圧支持部を有する押圧支持部材と、前記押圧支持部材をその前記押圧支持部が前記第４の被支持部を押圧支持する方向に付勢する弾性部材とを有することを特徴とする請求項１または２記載の情報再生装置。
【請求項６】
前記再生手段は、ディスクをチャッキングするチャッキング手段とその駆動手段を有し、前記移動部材は、前記チャッキング手段とその駆動手段を構成する複数の部材の中から選択された部材であり、チャッキング手段によってディスクがチャッキングされる際に所定の動作位置に移動するように構成され、前記固定手段の前記固定部は、前記移動部材が前記所定の動作位置に移動した場合に前記第４の被支持部を固定するように構成されたことを特徴とする請求項１から５までのいずれか一つに記載の情報再生装置。
【請求項７】
前記移動部材は、前記ディスク取出手段を構成する複数の部材の中から選択された部材であり、ディスクが前記所定の取出位置に移動する際に所定の動作位置に移動するように構成され、前記固定手段の前記固定部は、前記移動部材が前記所定の動作位置に移動した場合に前記第４の被支持部を固定するように構成されたことを特徴とする請求項１から５までのいずれか一つに記載の情報再生装置。
【発明の詳細な説明】
【０００１】
【発明の属する技術分野】
本発明は、複数のディスクを収容可能なマガジンからディスクを取り出してこのディスクに記録された情報の再生を行う情報再生装置に係り、特に、ディスク取出手段と再生手段を有する昇降部の支持構造に関するものである。
【０００２】
【従来の技術】
近年、ＣＤプレーヤなどのディスクの情報再生装置においては、ユーザによるディスクの交換操作を極力省略して使用感を向上する観点から、複数枚のディスクを収納可能なマガジンを装着し、このマガジン内に収納された複数枚のディスクの中からユーザが選択したディスクを自動的に選択して再生できるようにしたタイプの装置が多くなっている。このような情報再生装置においては、ディスクに記録された情報の再生を行う共通の再生手段によって、複数のディスクの再生を順次行うために、装着されたマガジンから所望のディスクを選択的に取り出して再生手段に搬送し、再生終了後のディスクを再びマガジン内に戻すためのディスク取出手段が設けられている。
【０００３】
以上のようなマガジンを使用した情報再生装置においては、ディスク取出手段と再生手段とを一体的に昇降可能な昇降部として構成し、この昇降部を、装着されたマガジンの各ディスクの位置に合わせることにより、ディスクの選択を行っている。このような昇降部の昇降は、一般的に、昇降部の両側にカムを有する一対のスライド部材を配置し、このスライド部材のカムによって昇降部に設けた被支持部を支持すると共に昇降させることによって昇降部を昇降させるようになっており、この場合のスライド部材は、スライド板またはスライド板を備えた機構として実現される。従来の装置では、上記のような昇降部の支持構造は、装置の寸法および構造の制約上から、一方のスライド板に２点の被支持部、他方のスライド板に１点の被支持部が設けられ、３点支持構造となっている。
【０００４】
図１３は、このような従来の情報再生装置のうち、特に、６枚のディスクを収容可能なマガジンを使用する情報再生装置の昇降部と昇降駆動部の一例を示す平面図である。すなわち、この図１３に示すように、図中１点鎖線で示す装置のベースプレート１に対して、ディスク取出手段と再生手段を含む昇降ユニット（昇降部）２が、昇降駆動部３によって昇降可能に支持されている。
【０００５】
このうち、昇降ユニット２は、ディスクを再生するドライブユニット（再生手段）４やこのドライブユニット４上にディスクをチャッキングするためのクランプアーム５、および図示しないディスク取出手段等を備えている。また、昇降駆動部３は、ベースプレート１の裏面に設けられたシフトモータ６、ギヤ機構７、およびシフトリンク８や、ベースプレート１の各側壁１ａ，１ｂの内面にスライド可能に設けられた第１と第２のシフトプレート（スライド板）９，１０等を備えている。この場合、シフトリンク８は、シフトモータ６の駆動力により、ギヤ機構７を介して軸８ａの周囲を回動可能に構成されている。そして、このシフトリンク８の両側の回動自由端に設けられたピン８ｂ，８ｃに、第１と第２のシフトプレート９，１０がそれぞれ係合しており、シフトリンク８の回動方向に応じてベースプレート１の側面に沿ってスライドし、昇降ユニット２を上下に駆動するようになっている。
【０００６】
図１４の（Ａ）と（Ｂ）は、第１と第２のシフトプレート９，１０による昇降ユニット２の昇降構造を示す側面図である。すなわち、図１４の（Ａ）に示すように、第１のシフトプレート９には、階段状の２つのカム溝１１，１２が形成され、図１４の（Ｂ）に示すように、他方のシフトプレート１０には、階段状の１つのカム溝１３が形成されている。そして、各カム溝１１〜１３には、昇降ユニット２のシャーシに設けられた第１〜第３のガイドピン２１〜２３が挿入されている。すなわち、昇降ユニット２は、第１と第２のシフトプレート９，１０の水平方向へのスライドによるカム溝１１〜１３の水平方向への移動に伴い、上下方向に移動し、図示していないマガジン内の任意のディスクの高さに位置決めされるようになっている。さらに、昇降ユニット２のガイドピン２１〜２３はまた、ベースプレート１の側壁１ａ，１ｂに設けられた上下に伸びるガイド溝１４〜１６にも挿入されており、これによって、ベースプレート１に対する水平方向の位置が規制されている。
【０００７】
【発明が解決しようとする課題】
しかしながら、上記のような従来の情報再生装置においては、昇降部を３点支持していることから、昇降部の支持性能に限界があるため、昇降部にねじれを生じたり、不要な振動が生じる可能性があり、その結果、ディスクの再生不良を発生する可能性がある。特に、車載用の情報再生装置は振動を受け易く、この傾向が顕著である。例えば、車載用のＣＤプレーヤにおいて、ＣＤの再生時に昇降部が不都合に振動すると、低級音や音飛び等の再生不良を生じる可能性が高い。
【０００８】
本発明は、以上のような従来技術の問題点を解決するために提案されたものであり、その目的は、ディスクの再生時における昇降部の支持性能を向上することにより、耐振性能および動作信頼性に優れ、しかも小型・簡略な情報再生装置を提供することである。
【０００９】
【課題を解決するための手段】
本発明は、上記の課題を解決するために、昇降部に第４の被支持部を設けてディスクの再生時における昇降部の４点支持を可能とすることにより、ディスクの再生時における昇降部の支持性能を向上したものである。
【００１０】
すなわち、請求項１記載の発明は、その主面と垂直な方向に配列された複数のディスクを収容可能なマガジンを使用し、このマガジン内の所定の収容位置からディスクを取り出して所定の取出位置まで移動させるディスク取出手段と、ディスクが前記所定の取出位置にある場合にこのディスクに記録された情報の再生を行う再生手段と、一方の側に設けられた第１と第２の被支持部および他方の側に設けられた第３の被支持部を有する昇降部と、前記昇降部の前記一方の側の近傍に設けられて前記第１と第２の被支持部を２点支持すると共にこの昇降部を昇降させるカムを有する第１のスライド手段と、前記昇降部の前記他方の側の近傍に設けられて前記第３の被支持部を１点支持すると共にこの昇降部を昇降させるカムを有する第２のスライド手段と、第１と第２のスライド手段を駆動して前記昇降部を昇降させる駆動手段を有する昇降駆動部と、を備えた情報再生装置において、前記昇降部は、前記他方の側に第４の被支持部と、前記ディスク取出手段によってディスクが前記所定の取出位置に達した場合に前記第４の被支持部を固定する固定手段とを備え、さらに、前記他方の側に設けられてディスクの前記所定の収容位置に対応する位置と前記所定の取出位置に対応する位置との間で移動する移動部材を備え、前記第４の被支持部は、前記移動部材の一部に設けられ、前記固定手段は、前記第４の被支持部と係合してこれを固定する固定部と、第４の被支持部と固定部との間に係合方向の弾性力を与える弾性構造を有することを特徴とする。
【００１１】
以上のような構成を有する請求項１記載の発明によれば、ディスク取出手段によってディスクを所定の取出位置に移動させるまでは、第１〜第３の被支持部によって昇降部を３点支持し、ディスク取出手段によってディスクを所定の取出位置に移動させた状態においては、第４の被支持部を加えた４点の被支持部によって昇降部を４点支持できる。したがって、所定の取出位置に移動させたディスクの再生時において、昇降部を４点支持することで昇降部の支持性能を向上することができるため、３点支持の場合に比べて、ディスクの再生時における振動等に起因する再生不良の発生を有効に防止できる。
【００１２】
また、ディスクの移動に対応して移動する移動部材の一部に第４の被支持部を設けているため、この第４の被支持部の動作位置に応じて固定部を設けることで、ディスクを取出位置に移動させた際に確実に第４の被支持部を固定することができる。この場合、移動部材や固定手段としては、専用の部材を使用することも可能であるが、ディスクの移動に対応して移動する既存の移動部材を適宜使用し、シャーシ等の既存の固定用部材に固定部を適宜設けた方が、構成を簡略化できる。さらに、弾性構造による弾性力を利用して第４の被支持部を固定しているため、第４の被支持部を安定的に確実に支持できる。
【００１５】
請求項２記載の発明は、請求項１記載の発明において、固定手段の固定部が、昇降部が複数の動作位置の各々にある場合における第４の被支持部の各動作位置に対応する複数の固定部であることを特徴としている。以上のような構成を有する請求項２記載の発明によれば、昇降部が複数の動作位置の各々にある場合において、各位置に応じて設けた固定部によって第４の被支持部を確実に固定することができる。
【００１６】
請求項３記載の発明は、請求項１または２記載の発明において、第４の被支持部が、前記移動部材の一部に設けられた弾性部であり、固定手段の弾性構造がこの弾性部を含むことを特徴としている。請求項４記載の発明は、請求項３記載の発明において、移動部材の前記弾性部が対向配置された一対の弾性板であり、この一対の弾性板が、その開閉方向の弾性力を利用して前記固定部に固定されるように構成されることを特徴としている。以上のような構成を有する請求項３および４記載の発明によれば、第４の被支持部自体を弾性板等の弾性部として構成したことにより、専用の弾性部材を設ける必要がなく、構成が簡略である。
【００１７】
請求項５記載の発明は、請求項１または２記載の発明において、固定手段が、次のような固定用部材、押圧支持部材、および弾性部材を有することを特徴としている。ここで、固定用部材は、ディスク取出手段によってディスクが前記所定の取出位置に達した場合に、第４の被支持部を固定する固定部を有する。また、押圧支持部材は、固定用部材に対して可動に設けられ、固定用部材の前記固定部との間に第４の被支持部を挟持する押圧支持部を有する。さらに、弾性部材は、押圧支持部材をその押圧支持部が第４の被支持部を押圧する方向に付勢する。
【００１８】
以上のような構成を有する請求項５記載の発明によれば、押圧支持部材や弾性部材を使用する点で、請求項３および４記載の発明よりも部品点数が多くなり易いが、固定用部材と押圧支持部材の間に第４の被支持部を挟持することにより、支持性能に優れている。なお、固定用部材や押圧支持部材としては、専用の部材を使用することも可能であるが、既存の部材を適宜使用した方が、構成を簡略化できる。また、固定用部材と押圧支持部材としては、必ずしも固定用部材を固定する必要はなく、相対的に第４の被支持部の挟持／解除側に移動可能であればよい。
【００１９】
請求項６記載の発明は、再生手段のチャッキング動作に関連する部材を前記移動部材として選択し、この移動部材に第４の被支持部を設けたことを特徴としている。すなわち、再生手段は、ディスクをチャッキングするチャッキング手段とその駆動手段を有する。また、移動部材は、チャッキング手段とその駆動手段を構成する複数の部材の中から選択された部材であり、チャッキング手段によってディスクがチャッキングされる際に所定の動作位置に移動するように構成される。さらに、固定手段の前記固定部は、移動部材が所定の動作位置に移動した場合に第４の被支持部を固定するように構成される。
【００２０】
以上のような構成を有する請求項６記載の発明によれば、チャッキング動作に対応して移動する移動部材の一部に第４の被支持部を設けているため、この第４の被支持部の動作位置に応じて固定部を設けることで、ディスクを再生手段にチャッキングする際に確実に第４の被支持部を固定することができる。
【００２１】
請求項７記載の発明は、ディスク取出手段を構成する部材を前記移動部材として選択し、この移動部材に第４の被支持部を設けたことを特徴としている。すなわち、移動部材は、ディスク取出手段を構成する複数の部材の中から選択された部材であり、ディスクが前記所定の取出位置に移動する際に所定の動作位置に移動するように構成される。また、固定手段の前記固定部は、移動部材が所定の動作位置に移動した場合に第４の被支持部を固定するように構成される。
【００２２】
以上のような構成を有する請求項７記載の発明によれば、ディスク取出手段を構成する移動部材の一部に第４の被支持部を設けているため、この第４の被支持部の動作位置に応じて固定部を設けることで、ディスクを所定の取出位置に移動させる際に確実に第４の被支持部を固定することができる。
【００２３】
【発明の実施の形態】
以上のような本発明を、６枚のディスクを収容可能なマガジンを使用する情報再生装置に適用した実施の形態について、図面を参照して具体的に説明する。また、図１３と図１４に示した従来例と同一部分には同一符号を付している。
【００２４】
［１．第１の実施の形態］
［１−１．構成］
図１は、本発明に係る情報再生装置の第１の実施の形態を示す平面図であり、特に、初期位置にある複数の主要部材のみを概略的に示している。すなわち、図１に示すように、装置のベースプレート１には、ディスク取出手段と再生手段を含む昇降ユニット（昇降部）２、昇降駆動部３によって昇降可能に支持されており、ベースプレート１上に装着されたマガジン３０内に収容されたディスクが、図中右方向に取り出されるようになっている。
【００２５】
このうち、昇降ユニット２は、ディスクを再生するドライブユニット（再生手段）４やこのドライブユニット４本体上にディスクをチャッキングするためのクランプアーム５、およびドライブユニット４を駆動してチャッキング動作を行わせる駆動手段を備えている。この駆動手段としては、具体的には、図中左右方向にスライドしてドライブユニット４本体を上下に駆動する第１と第２の駆動プレート３１，３２およびこの駆動プレート３１，３２を連結するリンク３３、図示していないモータ等の駆動源を備えている。
【００２６】
ここで、ドライブユニット４本体は、軸４ａによってベースプレート１に対して上下に回動可能に構成されており、その回動自由端の両側には、駆動用の係合ピン４ｂ，４ｃが設けられている。また、クランプアーム５は、軸４ａによってドライブユニット４本体に対して回動可能に構成されており、ドライブユニット４本体の上下方向の回動に連動して逆方向に回動するように構成されている。すなわち、本実施の形態においては、ドライブユニット４本体とクランプアーム５によってチャッキング手段が構成されており、ドライブユニット４本体の上方への回動に連動してクランプアーム５を下方に回動させることによりチャッキング動作を行い、ドライブユニット４本体の下方への回動に連動してクランプアーム５を上方に回動させることによりチャッキング解除動作を行うように構成されている。なお、このような方式でドライブユニット４にチャッキング動作／解除動作を行わせる技術は、既存の技術であり、本発明の要旨ではないため、これ以上の説明は省略する。
【００２７】
また、図２は図１の側面図であり、特に、第２の駆動プレート３２の初期位置を示している。この図２に示すように、第２の駆動プレート３２の一端には、係合ピン４ｃを挿入するカム溝３２ａが設けられており、この第２の駆動プレート３２の左右方向の移動にしたがって、係合ピン４ｃが上下に駆動されるようになっている。なお、図示していないが、第１の駆動プレート３１にも、同様に係合ピン４ｂを挿入するカム溝が設けられており、この第１の駆動プレート３１の左右方向の移動にしたがって、係合ピン４ｂが上下に駆動されるようになっている。すなわち、第１と第２の駆動プレート３１，３２は、リンク３３を介して逆方向に移動するように構成されており、この一対の駆動プレート３１，３２の移動方向に応じて、一対の係合ピン４ｂ，４ｃを介してドライブユニット４がチャッキング動作／解除動作を行うようになっている。
【００２８】
一方、昇降ユニット２における第１の駆動プレート３１側には、第１と第２のガイドピン（第１と第２の被支持部）２１，２２が設けられており、昇降ユニット３における第２の駆動プレート３２側には、第３のガイドピン（第３の被支持部）２３が設けられている。このような第１〜第３のガイドピン２１〜２３を駆動するためのカム溝１１〜１３を有する第１と第２のシフトプレート９，１０等を備えた昇降駆動部３の構成は、図１４に示した従来例と全く同様であるため、ここではその説明を省略する。
【００２９】
さらに、以上のような構成に加えて、本実施の形態においては、図１および図２に示すように、本発明に係る第４の被支持部として、昇降ユニット２の第２の駆動プレート３２の前記カム溝３２ａと反対側の端部に、横方向に突出する一対の弾性板３４が設けられている。また、図２に示すように、ベースプレート１の側壁１ｂには、本発明に係る固定手段の固定部として、昇降ユニット２の各動作位置における一対の弾性板３４の各動作位置に応じた複数の固定突起３５が上下方向に一列に設けられており、昇降ユニット２の位置に応じた一つの固定突起３５を挟持する形で一対の弾性板３４が固定されるようになっている。この場合、各固定突起３５の先端部は、先細となるようにその両側に傾斜面が設けられており、一対の弾性板３４をガイドするようになっている。また、一対の弾性板３４の幅寸法は、通常の状態では、固定突起３５の幅寸法よりも若干小さくなっており、固定突起３５は、一対の弾性板３４を押し広げながらこの一対の弾性板３４の間に挿入され、この一対の弾性板３４に挟持される形でこれを固定するようになっている。
【００３０】
［１−２．作用］
以上のような構成を有する本実施の形態によれば、次のような作用が得られる。まず、昇降ユニット２の図示していないディスク取出手段によってマガジン３０内の所定の収容位置からディスクを取り出して所定の取出位置まで移動させる間は、図１と図２に示すように、第１と第２の駆動プレート３１，３２が初期位置にある。すなわち、第１の駆動プレート３１は、図中右側の端部位置にあり、第２の駆動プレート３２は、図中左側の端部位置にある。そのため、第２の駆動プレート３２に設けられた一対の弾性板３４は、固定突起３５から離れた左側の端部位置にある。なお、この時点で、第１と第２の駆動プレート３１，３２によって駆動されるドライブユニット４本体の係合ピン４ｃは、図２に示すようなカム溝３２ａの下方位置にあり、クランプアーム５は、図３に示すような上方のチャッキング解除位置にある。
【００３１】
そして、このようにディスクを所定の取出位置まで移動させた後に、図示していないモータ等の駆動源により、第１と第２の駆動プレート３１，３２をリンク３３を介して図中左右方向に駆動する。すなわち、第１の駆動プレート３１を、図中右側の端部位置から図中左側に移動させると共に、第２の駆動プレート３２を、図中左側の端部位置から図中右側に移動させる。その結果、第２の駆動プレート３２に設けられた一対の弾性板３４は、図２に示すような図中左側の端部位置から固定突起３５に向かって図中右側に移動する。また、このような第１と第２の駆動プレート３１，３２の移動によって、ドライブユニット４本体の係合ピン４ｃは、図２に示すようなカム溝３２ａの下方位置から上昇し、クランプアーム５は、図３に示すような上方のチャッキング解除位置から下降する。
【００３２】
この後、第１と第２の駆動プレート３１，３２が、図４と図５に示すような反対側の端部位置、すなわち、第１の駆動プレート３１が図中左側の端部位置に達すると共に、第２の駆動プレート３２が図中右側の端部位置に達すると、第２の駆動プレート３２に設けられた一対の弾性板３４は、図５に示すような右側の端部位置に移動し、昇降ユニット２の位置に応じた一つの固定突起３５に係合される。この場合、前述したように、一対の弾性板３４の幅寸法は、固定突起３５の幅寸法よりも若干小さくなっているため、固定突起３５は、一対の弾性板３４を押し広げながらこの一対の弾性板３４の間に挿入され、一対の弾性板３４は、その弾性力によってこの固定突起３５を挟持する形で確実に固定される。なお、この時点で、第１と第２の駆動プレート３１，３２によって駆動されるドライブユニット４本体の係合ピン４ｃが、図５に示すようなカム溝３２ａの上方位置に達すると共に、クランプアーム５が、図６に示すように下方のチャッキング位置に達しており、ドライブユニット４はチャッキング状態となっている。
【００３３】
［１−３．効果］
以上説明したように、本実施の形態によれば、ドライブユニット４にチャッキング動作を行わせるための第２の駆動プレート３２の一部に第４の被支持部として一対の弾性板３４を設けると共に、昇降ユニット２の各動作位置における一対の弾性板３４の各動作位置に応じて固定突起３５を設けているため、チャッキング動作時における第２の駆動プレート３２の移動に伴い、一対の弾性板３４の弾性力を利用してこの一対の弾性板３４を固定突起３５に対して確実に固定することができる。すなわち、チャッキング解除状態では、従来と同様に第１〜第３のガイドピン２１〜２３によって昇降ユニットを３点支持する一方で、チャッキング状態では、第１〜第３のガイドピン２１〜２３と一対の弾性板３４によって、昇降ユニット２を４点支持することができる。
【００３４】
したがって、本実施の形態においては、３点支持の場合に比べて、ディスクの再生時における昇降ユニット２の支持性能を格段に向上でき、耐振性能を向上できるため、昇降ユニット２におけるねじれや不要な振動の発生を防止でき、その結果、ディスクの再生を良好に行うことができる。特に、本実施の形態の装置は、車載用の情報再生装置として最適であり、例えば、車載用のＣＤプレーヤに適用した場合には、昇降ユニット２の不都合な振動を防止できるため、低級音や音飛び等の再生不良を防止できる。
【００３５】
また、本実施の形態においては、ドライブユニット４のチャッキング駆動用として使用される第２の駆動プレート３２の一部に第４の被支持部として一対の弾性板３４を設けると共に、昇降ユニット２を支持するベースプレート１の側壁１ｂを固定用部材として使用し、この側壁１ｂに固定部として固定突起３５を設けているため、独立した弾性部材や固定用部材等の４点支持専用の部材を何等使用しておらず、構成が簡略である。
【００３６】
［２．第２の実施の形態］
［２−１．構成］
図７と図８は、本発明に係る情報再生装置の第２の実施の形態を示す側面図である。すなわち、図７に示すように、本実施の形態においては、前記第１の実施の形態における一対の弾性板３４の代わりに、第２の駆動プレート３２に、１枚の被支持板４１が設けられている。また、ベースプレート１の側壁１ｂには、被支持板４１の各動作位置に応じた複数の固定突起３５が上下方向に一列に設けられている。この場合、複数の固定突起３５の形状および寸法は、前記第１の実施の形態と同様である。したがって、本実施の形態において、各固定突起３５の先細の先端部は、被支持板４１をガイドすることになる。
【００３７】
さらに、これらの構成に加えて、本実施の形態においては、側壁１ｂと第２の駆動プレート３２の間に、押圧支持プレート（押圧支持部材）４２が、側壁１ｂに対して水平方向にスライド可能に設けられている。この押圧支持プレート４２には、固定突起３５の上面との間に被支持板４１を挟持する複数の押圧支持部（押圧支持部）４３が形成されている。この場合、各押圧支持部４３は、被支持板４１の上面に当接する水平面と被支持板４１の側面に当接する垂直面を有しており、水平面の先端には、上方に向かう傾斜面が設けられており、被支持板４１をガイドするようになっている。また、押圧支持プレート４２と側壁１ｂの間には、押圧支持プレート４２を下方に付勢するスプリング４４が設けられている。
【００３８】
なお、図９と図１０は、押圧支持プレート４２周辺の詳細を示す拡大図であり、図１１と図１２は、側壁１ｂの固定突起３５周辺部分と押圧支持プレート４２をそれぞれ示す側面図である。図１２に示すように、押圧支持プレート４２における複数の押圧支持部４３と反対側の端部には、各押圧支持部４３とそれぞれ対向する複数のガイドピン用押圧支持部４５が設けられており、図３や図６に示したようなシフトプレート１０のカム溝１３との間にガイドピン２３を挟持するようになっている。すなわち、押圧支持プレート４２は、スプリング４４の付勢力により、その押圧支持部４３とガイドピン用押圧支持部４５を介して被支持板４１とガイドピン２３の両方を上方から押圧支持するようになっている。また、昇降ユニット２や昇降駆動部３の他の部分については、第１の実施の形態と同様に構成されている。
【００３９】
［２−２．作用］
以上のような構成を有する本実施の形態によれば、前記第１の実施の形態と同様に、ディスクを所定の取出位置まで移動させた後に、第２の駆動プレート３２を図７に示すような図中左側の端部位置から図中右側に移動させて、チャッキング動作を行わせる。その結果、第２の駆動プレート３２の被支持板４１は、図９に示すような図中左側の端部位置から固定突起３５に向かって図中右側に移動する。
【００４０】
図９に示すように、このような第２の駆動プレート３２の移動開始時においては、押圧支持プレート４２の複数の押圧支持部４３が、固定突起３５から被支持板４１側に向かって突出している。そのため、この状態から図中右側に移動した被支持板４１は、固定突起３５と当接する前に、まず、昇降ユニット２の位置に応じた一つの押圧支持部４３の水平面と垂直面に当接し、この後の移動により、押圧支持部４３を押圧して押圧支持プレート４２を右側に移動させる形で固定溝３５内に挿入される。
【００４１】
そして、チャッキング動作完了時に第２の駆動プレート３２が図８に示すような図中右側の端部位置に達すると、被支持板４１は、図１０に示すような右側の端部位置に移動し、昇降ユニット２の位置に応じた一つの固定突起３５の上面と、それに対応する押圧支持部４３との間に確実に挟持される。また、この時点においては、押圧支持プレート４２のガイドピン用押圧支持部４５によって、ガイドピン２３もまた、図３や図６に示したようなシフトプレート１０のカム溝１３との間に挟持される。
【００４２】
［２−３．効果］
以上説明したように、本実施の形態によれば、前記第１の実施の形態における一対の弾性板３４に代えて１枚の被支持板４２を設けると共に、昇降ユニット２の各動作位置における被支持板４２の各動作位置に応じて固定突起３５を設け、さらに、各固定溝３５との間に被支持板４２を挟持する押圧支持部４３を有する押圧支持プレート４２とこの押圧支持プレート４２を押圧支持方向に付勢するスプリング４４を設けているため、チャッキング動作時における第２の駆動プレート３２の移動に伴い、被支持板４２を固定突起３５と押圧支持部４３の間に挟持し、スプリング４４の付勢力を利用して十分な挟持力を与えることにより、被支持板４２を確実に固定することができる。すなわち、前記第１の実施の形態と同様に、チャッキング解除状態では、第１〜第３のガイドピン２１〜２３によって昇降ユニットを３点支持する一方で、チャッキング状態では、第１〜第３のガイドピン２１〜２３と一対の弾性板３４によって、昇降ユニット２を４点支持することができる。
【００４３】
したがって、本実施の形態においても、前記第１の実施の形態と同様に、３点支持の場合に比べて、再生時における昇降ユニット２の支持性能を格段に向上てき、耐振性能を向上できるため、昇降ユニット２におけるねじれや不要な振動の発生を防止でき、ディスクの再生を良好に行うことができる。そしてまた、車載用の情報再生装置として最適である。
【００４４】
なお、本実施の形態においては、前記第１の実施の形態に比べて、押圧支持プレート４２やスプリング４４等、４点支持専用の部材を使用しているため、その分だけ部品点数が多くなっているが、スプリング４４の付勢力を利用して固定突起３５と押圧支持部４３の間に被支持板４を挟持する構成であるため、支持性能に優れている。
【００４５】
［３．他の実施の形態］
なお、本発明は、前記各実施の形態に限定されるものではなく、本発明の範囲内で他にも多種多様な変形例を実施可能である。まず、前記各実施の形態において、固定用部材、押圧支持部材や弾性構造等の具体的な構成や位置関係等は自由に変更可能であり、さらに言えば、固定用部材の固定部の形状や押圧支持部材の押圧支持部の形状は自由に選択可能である。
【００４６】
例えば、前記第１の実施の形態においては、第４の被支持部として一対の弾性板３４を使用し、この一対の弾性板３４に対して固定突起３５を挿入することにより一対の弾性板３４を押し広げるように構成したが、単純な変形例として、一対の弾性板３４を溝状の固定部に押し込むように構成すること等が考えられる。すなわち、一対の弾性板３４の開閉方向の弾性力を適宜利用することによりこの一対の弾性板を固定部に良好に固定することができる。また、第４の被支持部側でなく、固定部側を弾性部として構成することも可能である。そしてまた、前記各実施の形態においては、昇降ユニット２を支持するベースプレート１の側壁１ｂを固定用部材として、この側壁１ｂに固定突起３５を設けたが、固定用部材として他の任意の既存部材を利用したり、専用の固定用部材を設けること等も同様に可能である。
【００４７】
また、前記各実施の形態においては、チャッキング動作用の第２の駆動プレート３２を移動部材として利用し、この第２の駆動プレート３２に第４の被支持部を設けたが、昇降ユニット２を構成する他の任意の部材を本発明に係る移動部材として利用することが可能である。さらに、チャッキング手段やその駆動手段を構成する部材以外の、例えば、ディスク取出手段を構成する部材を本発明に係る移動部材として利用し、この移動部材に第４の被支持部を設けること等が考えられる。この場合には、ディスクの所定の取出位置に対応する位置で、第４の被支持部を固定するように構成することにより、ディスクが所定の取出位置まで達した後は、ディスクをチャッキングして再生を行い、再びチャッキングを解除するまでの間、昇降部を４点支持することができる。
【００４８】
一方、前記各実施の形態においては、６枚のディスクを収容可能なマガジンを使用する情報再生装置に適用した場合について説明したが、本発明は、任意の枚数のディスクを収容可能な各種のマガジンを使用する各種の情報再生装置に同様に適用可能である。この場合には、例えば、固定部や押圧支持部の数が、ディスクの枚数による昇降部の動作位置の数に応じて変化することになる。
【００４９】
さらに、本発明において、昇降部やこれを構成するディスク取出手段、再生手段、チャッキング手段、あるいは、昇降部を駆動する昇降駆動部の具体的な構成は、自由に選択可能である。また、本発明は、前述したように、特に、車載用の情報再生装置に最適である。しかしながら、本発明は、車載用に限らず、各種の情報再生装置に適用可能である。すなわち、本発明は、複数のディスクを収容可能なマガジンを使用し、ディスク取出手段と再生手段を有する３点支持タイプの昇降部を備えたタイプの情報再生装置である限り、ＣＤプレーヤ、ＬＤプレーヤ、ＭＤプレーヤ等の各種の装置に対して適用可能であり、いずれの場合にも前記各実施の形態で記載したような優れた効果が得られるものである。
【００５０】
【発明の効果】
以上説明したように、本発明によれば、ディスク取出手段と再生手段とを有する３点支持の昇降部に第４の被支持部を設けると共に、この第４の被支持部を固定する固定手段を設けることにより、ディスクの再生時における昇降部の支持性能を向上することができるため、従来に比べて、耐振性能および動作信頼性に優れ、しかも小型・簡略な情報再生装置を提供することができる。
【図面の簡単な説明】
【図１】本発明に係る情報再生装置の第１の実施の形態を示す図であり、特に、初期位置にある複数の主要部材を示す平面図。
【図２】図１に示す情報再生装置について、第２の駆動プレート３２の初期位置を示す側面図。
【図３】図１に示す情報再生装置について、図２に示す位置にあるガイドピン２３と対応する第２のシフトプレート１０の位置と、図２に示す初期位置にある第２の駆動プレート３２と対応するクランプアーム５のチャッキング解除位置を示す側面図。
【図４】図１に示す複数の主要部材のチャッキング動作完了時における各位置を示す平面図。
【図５】図２に示す第２の駆動プレート３２のチャッキング動作完了時における位置を示す側面図。
【図６】図３に示す第２のシフトプレート１０と第２の駆動プレート３２のチャッキング動作完了時における位置を示す側面図。
【図７】本発明に係る情報再生装置の第２の実施の形態を示す図であり、特に、初期位置にある複数の主要部材を示す側面図。
【図８】図７に示す複数の主要部材のチャッキング動作完了時における各位置を示す側面図。
【図９】図７に示す押圧支持プレート４２周辺の詳細を示す図であり、特に、被支持板４１と押圧支持プレート４２の初期位置を示す拡大側面図。
【図１０】図９に示す被支持板４１と押圧支持プレート４２のチャッキング動作完了時における各位置を示す拡大側面図。
【図１１】図９に示す側壁１ｂの固定突起３５周辺部分を示す側面図。
【図１２】図９に示す押圧支持プレート４２を示す側面図。
【図１３】従来の情報再生装置の昇降部と昇降駆動部の一例を示す平面図。
【図１４】図１３に示す第１と第２のシフトプレート９，１０による昇降ユニット２の昇降構造を示す図であり、（Ａ）は第１のシフトプレート９側の昇降構造を示す側面図、（Ｂ）は第２のシフトプレート１０側の昇降構造を示す側面図。
【符号の説明】
１…ベースプレート
１ａ，１ｂ…側壁
２…昇降ユニット
３…昇降駆動部
４…ドライブユニット
４ａ…軸
４ｂ，４ｃ…係合ピン
５…クランプアーム
６…シフトモータ
７…ギヤ機構
８…シフトリンク
９…第１のシフトプレート
１０…第２のシフトプレート
１１〜１３…カム溝
１４〜１６…ガイド溝
２１…第１のガイドピン
２２…第２のガイドピン
２３…第３のガイドピン
３０…マガジン
３１…第１の駆動プレート
３２…第２の駆動プレート
３３…リンク
３４…弾性板
３５…固定突起
４１…被支持板
４２…押圧支持プレート
４３…押圧支持部
４４…スプリング
４５…ガイドピン用押圧支持部
【図１】
0003802636.tif 000002
【図２】
0003802636.tif 000003
【図３】
0003802636.tif 000004
【図４】
0003802636.tif 000005
【図５】
0003802636.tif 000006
【図６】
0003802636.tif 000007
【図７】
0003802636.tif 000008
【図８】
0003802636.tif 000009
【図９】
0003802636.tif 000010
【図１０】
0003802636.tif 000011
【図１１】
0003802636.tif 000012
【図１２】
0003802636.tif 000013
【図１３】
0003802636.tif 000014
【図１４】
0003802636.tif 000015